(57)【要約】【課題】台車の搬入出時の搬入出検査を行い、未返却台車の搬送履歴情報を管理するシステムを提供することを目的とする。【解決手段】搬出端末装置は、記録媒体からの台車識別情報より搬送情報を取得して搬入端末装置と搬送管理装置とに送信する搬出台車情報送信手段を備え、搬入端末装置は、搬出端末装置からの搬送情報を受信して搬入データベースに登録する搬出台車情報受信手段と、記録媒体からの台車識別情報より搬送情報を取得して搬送管理装置に送信する搬入台車情報送信手段とを備え、搬送管理装置は、搬出端末装置からの搬送情報を受信して管理データベースに登録する搬出台車情報登録手段と、搬入端末装置からの搬送情報を受信して管理データベースに登録する搬入台車情報登録手段と、搬出端末装置から搬送履歴情報を取得してその一覧を搬出端末装置に送信する未回収台車情報検索手段とを備えることを特徴とする。【選択図】          図１
2004310611.tif 000002
【特許請求の範囲】
【請求項１】
衣料品やカーテンをトラックで搬送する際に、その搬送用に使用される複数のハンガーが取り付け可能な台車毎に、その台車コードとその所有者名とを含む台車識別情報を印刷したシール媒体を前記台車の所定の部分に貼付すると共に、その台車識別情報を記録した記録媒体を装着して、前記台車の搬出入と所在場所とを管理するシステムであって、
前記台車の搬出入を行う複数の企業に於いて、前記記録媒体と無線通信を介して接続され、前記台車識別情報を受信する前記台車の搬出口と搬入口とのそれぞれに備えられた搬出端末装置及び搬入端末装置と、この搬出端末装置及び搬入端末装置とに通信ネットワークを介して接続される前記台車の管理システムの運用機関が備える搬送管理装置とを備えており、
前記搬出端末装置は、前記台車コード毎に搬出元の部署コードと搬入先の部署コードと搬送年月日とを含む搬送情報と、前記部署コード毎にその部署名とその搬出端末装置又は搬入端末装置に情報を送信する為の送信先のアドレスとを含む部署識別情報と、自己の前記部署コードを含む自部署識別情報とを少なくとも登録する搬出データベースと、
前記記録媒体からの前記台車識別情報の受信の度毎に、その台車識別情報の前記台車コードより前記搬出データベースを検索して該当する前記搬送情報が登録済みであるか否かのチェックを行い、その搬送情報が未登録の場合に、受信した前記台車識別情報に搬出台車誤りに関するエラーメッセージを付加してその搬出端末装置に送信する搬出台車誤り検査手段と、
前記搬出台車誤り検査手段で、前記搬送情報が登録済みの場合に、その搬送情報の前記搬入先の部署コードより前記搬出データベースを検索して該当する前記部署識別情報を取得し、その部署識別情報の前記アドレスの前記搬入端末装置と前記搬送管理装置とに前記搬送情報を自動送信する搬出台車情報送信手段とを備えており、
前記搬入端末装置は、前記台車コード毎に搬出元の部署コードと搬入先の部署コードと搬送年月日とを含む搬送情報と、自己の前記部署コードを含む自部署識別情報とを少なくとも登録する搬入データベースと、
前記搬出端末装置からの前記搬送情報を受信して前記搬入データベースに自動登録する搬出台車情報受信手段と、
前記記録媒体からの前記台車識別情報の受信の度毎に、その台車識別情報の前記台車コードより前記搬入データベースを検索して該当する前記搬送情報が登録済みであるか否かのチェックを行い、その搬送情報が未登録の場合に、受信した前記台車識別情報に搬入台車誤りに関するエラーメッセージを付加してその搬入端末装置に送信する搬入台車誤り検査手段と、
その搬送情報が取得できた場合に、その搬送情報を前記搬送管理装置に自動送信する搬入台車情報送信手段とを備えており、
前記搬送管理装置は、前記台車の所有者側の前記部署コードを更に含む前記台車識別情報と、前記部署識別情報と、前記台車コード毎に搬出と搬入とに分類した搬送区分と前記搬出元の部署コード又は前記搬入先の部署コードと前記搬送年月日とを含む搬送履歴情報とを少なくとも登録する管理データベースと、
前記搬出端末装置からの前記搬送情報を受信して、その搬送情報から前記搬送区分に搬出を設定した前記搬送履歴情報を作成して前記管理データベースに自動登録する搬出台車情報登録手段と、
前記搬入端末装置からの前記搬送情報を受信して、その搬送情報から前記搬送区分に搬入を設定した前記搬送履歴情報を作成して前記管理データベースに自動登録する搬入台車情報登録手段と、
前記搬出端末装置又は前記搬入端末装置からの未回収台車検索要求信号に応答して、それぞれに対応する前記搬出データベース又は前記搬入データベースを検索して前記自部署識別情報を取得し、その自部署識別情報の前記部署コードより前記管理データベースを検索して該当する前記台車識別情報を取得し、その台車識別情報の前記台車コードより前記管理データベースを検索して該当する前記搬送履歴情報を取得し、更に、その搬送履歴情報の中で最大値の前記搬送年月日が設定され、且つ、前記搬送区分に搬出が設定され、且つ、前記部署コードに前記自部署識別情報の前記部署コード以外の前記部署コードが設定されている前記搬送履歴情報のみを対象に取得し、その搬送履歴情報の一覧をその搬出端末装置又は搬入端末装置に送信する未回収台車情報検索手段とを備えていることを特徴とする、衣料品搬送用台車管理システム。
【請求項２】
前記未回収台車情報検索手段は、前記搬送履歴情報の一覧を前記搬出端末装置又は前記搬入端末装置に送信し、その一覧の中から前記搬送履歴情報の選択を受け付けて、その搬送履歴情報の前記部署コードより前記管理データベースを検索して該当する前記部署識別情報を取得し、その部署識別情報の前記アドレスの前記搬出端末装置又は前記搬入端末装置に、その搬送履歴情報についての台車返却依頼情報を作成して送信する台車返却依頼情報送信手段を含んでいることを特徴とする、請求項１に記載の衣料品搬送用台車管理システム。
【請求項３】
前記搬出データベースと前記搬入データベースとの前記搬送情報は、搬送済みと未搬送とに分類した搬送状況区分を更に含んでおり、
前記搬出台車情報送信手段と前記搬入台車情報送信手段とは、前記記録媒体からの前記台車識別情報を受信して、その台車識別情報の前記台車コードよりそれぞれ該当する前記搬出データベース、又は前記搬入データベースを検索して該当する前記搬送情報が登録済みの場合に、その搬送情報の前記搬送状況区分に搬送済みを設定してその搬送情報を更新する搬送状況更新手段を含んでおり、
前記搬出端末装置は、その搬出端末装置からの台車返却漏れ検査要求信号に応答して、前記搬出データベースに登録された前記搬送情報の中で、前記搬送年月日にシステム日付が設定され、且つ、前記搬送状況区分に未搬送が設定された前記搬送情報に台車返却漏れに関するエラーメッセージを付加してその搬出端末装置に送信する台車返却漏れ検査手段を更に備え、
前記搬入端末装置は、その搬入端末装置からの台車搬入遅延検査要求信号に応答して、前記搬入データベースに登録された前記搬送情報の中で、前記搬送年月日にシステム日付が設定され、且つ、前記搬送状況区分に未搬送が設定された前記搬送情報に台車搬入遅延に関するエラーメッセージを付加してその搬入端末装置に送信する台車搬入遅延検査手段を更に備えていることを特徴とする、請求項１、又は請求項２に記載の衣料品搬送用台車管理システム。
【発明の詳細な説明】
【０００１】
【発明の属する技術分野】
本発明は、衣料品やカーテンをトラックで搬送する際に、その搬送用に使用される複数のハンガーが取り付け可能な台車毎に、その台車コードとその所有者名とを含む台車識別情報を印刷したシール媒体を前記台車の所定の部分に貼付すると共に、その台車識別情報を記録した記録媒体を装着して、前記台車の搬出入と所在場所とを管理するシステムに関するものである。
【０００２】
【従来の技術】
トラックで衣料品やカーテンを搬送する際に、複数のハンガーが取り付け可能な搬送用の台車は、衣料品等の専用のトラックを不用とする為、多くの配送センターと小売店舗間で利用されているが、主に台車の所有者側である配送センターに於いては、その台車を使用した衣料品等の搬送後に、その台車が返却されないまま、複数の搬入先間で繰り返し使用され、現在、どの搬入先で使用されているのか、その追跡を行う手掛かりも掴めない問題が発生している。
又、この台車を使用した衣料品等の搬出元に於いて、搬出時に誤って他の台車を使用して衣料品等を搬出することがあり、衣料品等の搬入先に於いても、返却しなければならない台車の返却漏れが発生しており、このことも台車が確実に回収できない要因となっている。
【０００３】
その為、台車の所有者側である配送センターにとっては、搬送先から台車が返却されなかった場合に、確実にその台車の搬送先の追跡を行う為の管理システムが求められており、この衣料品等の搬送用の台車と同じ分野の物流システムで使用される運搬用具の管理システムとして、例えば、特開２００２−１５４６１８号公報に開示されている「物流管理システム」が示すように、運搬貨物にＩＣタグを貼付して、運搬貨物単位と運搬用具単位とトラック単位の貨物情報を管理し、運搬貨物の所在管理とルート追跡とが行われている。
又、特開２０００−１８７７１３号公報に開示されている「商品の運搬用具リサイクルの方法」に於いても、識別カードやＩＣチップを運搬用具に取り付け、その運搬用具の回収管理が行われている。
【０００４】
【特許文献１】
特開２００２−１５４６１８号公報（第１〜８頁）
【特許文献２】
特開２０００−１８７７１３号公報（第１〜１４頁）
【０００５】
しかしながら、これらの特許文献１や特許文献２による運搬貨物の出庫処理は、無線通信端末が複数のＩＣタグ等から正常に貨物情報（出庫実績情報）の受信を行うことが前提であり、受信した貨物情報の検査は行われていない。その為、誤った貨物を出庫した場合等の人為的なミスや、複数のＩＣタグと無線通信端末との間に受信を中断する媒体が介在して、受信すべき貨物情報が欠落した場合のトラブルに対しては対策がとられていない。
【０００６】
【発明が解決しようとする課題】
以上のような問題を解決する為に本発明では、衣料品やカーテンの搬送用に使用される台車の搬出元と搬入先とに対して、搬入出時の人為的なミスやＩＣタグからの受信情報の欠落の発生有無を検査する為の搬入出検査を行い、台車の所有者側に対しては、この検査後の情報に基づいた未返却台車の搬出元と搬入先とを特定する為の搬送履歴情報を管理するシステムを提供することを目的とする。
【０００７】
【課題を解決するための手段】
上記目的を達成する為、請求項１に記載の発明は、衣料品やカーテンをトラックで搬送する際に、その搬送用に使用される複数のハンガーが取り付け可能な台車毎に、その台車コードとその所有者名とを含む台車識別情報を印刷したシール媒体を前記台車の所定の部分に貼付すると共に、その台車識別情報を記録した記録媒体を装着して、前記台車の搬出入と所在場所とを管理するシステムであって、
前記台車の搬出入を行う複数の企業に於いて、前記記録媒体と無線通信を介して接続され、前記台車識別情報を受信する前記台車の搬出口と搬入口とのそれぞれに備えられた搬出端末装置及び搬入端末装置と、この搬出端末装置及び搬入端末装置とに通信ネットワークを介して接続される前記台車の管理システムの運用機関が備える搬送管理装置とを備えており、
前記搬出端末装置が、前記台車コード毎に搬出元の部署コードと搬入先の部署コードと搬送年月日とを含む搬送情報と、前記部署コード毎にその部署名とその搬出端末装置又は搬入端末装置に情報を送信する為の送信先のアドレスとを含む部署識別情報と、自己の前記部署コードを含む自部署識別情報とを少なくとも登録する搬出データベースと、
前記記録媒体からの前記台車識別情報の受信の度毎に、その台車識別情報の前記台車コードより前記搬出データベースを検索して該当する前記搬送情報が登録済みであるか否かのチェックを行い、その搬送情報が未登録の場合に、受信した前記台車識別情報に搬出台車誤りに関するエラーメッセージを付加してその搬出端末装置に送信する搬出台車誤り検査手段と、
前記搬出台車誤り検査手段で、前記搬送情報が登録済みの場合に、その搬送情報の前記搬入先の部署コードより前記搬出データベースを検索して該当する前記部署識別情報を取得し、その部署識別情報の前記アドレスの前記搬入端末装置と前記搬送管理装置とに前記搬送情報を自動送信する搬出台車情報送信手段とを備えており、
前記搬入端末装置が、前記台車コード毎に搬出元の部署コードと搬入先の部署コードと搬送年月日とを含む搬送情報と、自己の前記部署コードを含む自部署識別情報とを少なくとも登録する搬入データベースと、
前記搬出端末装置からの前記搬送情報を受信して前記搬入データベースに自動登録する搬出台車情報受信手段と、
前記記録媒体からの前記台車識別情報の受信の度毎に、その台車識別情報の前記台車コードより前記搬入データベースを検索して該当する前記搬送情報が登録済みであるか否かのチェックを行い、その搬送情報が未登録の場合に、受信した前記台車識別情報に搬入台車誤りに関するエラーメッセージを付加してその搬入端末装置に送信する搬入台車誤り検査手段と、
その搬送情報が取得できた場合に、その搬送情報を前記搬送管理装置に自動送信する搬入台車情報送信手段とを備えており、
前記搬送管理装置が、前記台車の所有者側の前記部署コードを更に含む前記台車識別情報と、前記部署識別情報と、前記台車コード毎に搬出と搬入とに分類した搬送区分と前記搬出元の部署コード又は前記搬入先の部署コードと前記搬送年月日とを含む搬送履歴情報とを少なくとも登録する管理データベースと、
前記搬出端末装置からの前記搬送情報を受信して、その搬送情報から前記搬送区分に搬出を設定した前記搬送履歴情報を作成して前記管理データベースに自動登録する搬出台車情報登録手段と、
前記搬入端末装置からの前記搬送情報を受信して、その搬送情報から前記搬送区分に搬入を設定した前記搬送履歴情報を作成して前記管理データベースに自動登録する搬入台車情報登録手段と、
前記搬出端末装置又は前記搬入端末装置からの未回収台車検索要求信号に応答して、それぞれに対応する前記搬出データベース又は前記搬入データベースを検索して前記自部署識別情報を取得し、その自部署識別情報の前記部署コードより前記管理データベースを検索して該当する前記台車識別情報を取得し、その台車識別情報の前記台車コードより前記管理データベースを検索して該当する前記搬送履歴情報を取得し、更に、その搬送履歴情報の中で最大値の前記搬送年月日が設定され、且つ、前記搬送区分に搬出が設定され、且つ、前記部署コードに前記自部署識別情報の前記部署コード以外の前記部署コードが設定されている前記搬送履歴情報のみを対象に取得し、その搬送履歴情報の一覧をその搬出端末装置又は搬入端末装置に送信する未回収台車情報検索手段とを備えていることを特徴とする。
【０００８】
この請求項１に記載の発明によれば、台車の搬入出の際に、その中に誤って、搬入出対象以外の台車が含まれている場合は、台車識別情報（搬入出実績情報）と予め登録された搬送情報（搬入出指示情報）とを照合することによって、その台車を特定したエラーメッセージをその搬入出の端末装置に通知して、人為的なミスが発生したことを警告することができる。
又、台車の所有者側は、台車の搬入出後、検査後の搬送履歴情報に基づいた返却されない台車の搬出元と搬入先とを把握することができる。
【０００９】
請求項２に記載の発明は、前記未回収台車情報検索手段が、前記搬送履歴情報の一覧を前記搬出端末装置又は前記搬入端末装置に送信し、その一覧の中から前記搬送履歴情報の選択を受け付けて、その搬送履歴情報の前記部署コードより前記管理データベースを検索して該当する前記部署識別情報を取得し、その部署識別情報の前記アドレスの前記搬出端末装置又は前記搬入端末装置に、その搬送履歴情報についての台車返却依頼情報を作成して送信する台車返却依頼情報送信手段を含んでいることを特徴とする。
【００１０】
この請求項２に記載の発明によれば、台車の所有者側は、返却されない台車の搬入先の端末装置に対して、返却依頼情報を送信してその返却を督促することができる。
【００１１】
請求項３に記載の発明は、前記搬出データベースと前記搬入データベースとの前記搬送情報が、搬送済みと未搬送とに分類した搬送状況区分を更に含んでおり、
前記搬出台車情報送信手段と前記搬入台車情報送信手段とが、前記記録媒体からの前記台車識別情報を受信して、その台車識別情報の前記台車コードよりそれぞれ該当する前記搬出データベース、又は前記搬入データベースを検索して該当する前記搬送情報が登録済みの場合に、その搬送情報の前記搬送状況区分に搬送済みを設定してその搬送情報を更新する搬送状況更新手段を含んでおり、
前記搬出端末装置が、その搬出端末装置からの台車返却漏れ検査要求信号に応答して、前記搬出データベースに登録された前記搬送情報の中で、前記搬送年月日にシステム日付が設定され、且つ、前記搬送状況区分に未搬送が設定された前記搬送情報に台車返却漏れに関するエラーメッセージを付加してその搬出端末装置に送信する台車返却漏れ検査手段を更に備え、
前記搬入端末装置が、その搬入端末装置からの台車搬入遅延検査要求信号に応答して、前記搬入データベースに登録された前記搬送情報の中で、前記搬送年月日にシステム日付が設定され、且つ、前記搬送状況区分に未搬送が設定された前記搬送情報に台車搬入遅延に関するエラーメッセージを付加してその搬入端末装置に送信する台車搬入遅延検査手段を更に備えていることを特徴とする。
【００１２】
この請求項３に記載の発明によれば、搬入出すべき台車が搬入出されているか否かを検査し、搬入出すべき台車が漏れている場合は、その台車を特定したエラーメッセージをその搬入出すべき端末装置に通知して、人為的なミスやＩＣタグからの受信すべき情報の欠落が発生していることを警告することができる。
【００１３】
【発明の実施の形態】
以下、本発明に係る一実施の形態を図に基づいて詳細に説明する。
図１は本発明に係る衣料品搬送用台車管理システムのシステム構成を示す模式図である。
【００１４】
図１に示すように、衣料品搬送用台車管理システムは、衣料品やカーテン等の搬送用に使用される複数のハンガーが取り付け可能な台車に装着されたＩＣタグ等の記録媒体１と、この記録媒体１と無線通信２を介して接続され、記録媒体１に記録された台車識別情報を受信する台車の搬出口と搬入口とのそれぞれに備えられたリーダー／ライターを接続したパソコン等の搬出端末装置１０及び搬入端末装置４０と、この搬出端末装置１０及び搬入端末装置４０とにインターネット網３を介して接続される台車の管理システムの運用機関が備える搬送管理装置７０とから構成される。
【００１５】
記録媒体１は、台車に装着され、台車の識別情報を記録するものである。
台車識別情報には、台車コード、台車名、台車の所有者側の部署コード、登録年月日等の情報を格納する。
【００１６】
搬出端末装置１０は、搬出データベース２０を備え、
搬出データベース２０は、自部署識別テーブル２１、部署識別テーブル２２、及び搬送テーブル２３から構成される。
【００１７】
自部署識別テーブル２１は、企業内の搬出部門が備える自己の搬出端末装置１０について、その自部署の識別情報を記録するものである。
自部署識別情報には、検索キー部である部署コードと、データ部に属する部署名、登録年月日等の情報を格納する。
【００１８】
部署識別テーブル２２は、全ての企業の搬出部門と搬入部門とがそれぞれ備える搬出端末装置１０と搬入端末装置４０とについて、その部署の識別情報を記録するものである。
部署識別情報には、検索キー部である部署コードと、データ部に属する部署名、メールアドレス、登録年月日等の情報を格納する。
【００１９】
搬送テーブル２３は、搬出部門（搬出元）が台車を搬入部門（搬入先）へ搬出する為の搬出指示に関する搬送情報を記録するものである。
搬送情報には、検索キー部である台車コードと、データ部に属する搬送状況区分、搬出元の部署コード、搬入先の部署コード、搬送年月日、登録年月日等の情報を格納する。
搬送状況区分には、「搬送済み（搬出済み）」、「未搬送（未搬出）」が設定される。
【００２０】
搬入端末装置４０は、搬入データベース５０を備え、
搬入データベース５０は、自部署識別テーブル５１と搬送テーブル５２とから構成される。
【００２１】
自部署識別テーブル５１は、企業内の搬入部門が備える自己の搬入端末装置４０について、その自部署の識別情報を記録するものである。
自部署識別情報には、検索キー部である部署コードと、データ部に属する部署名、登録年月日等の情報を格納する。
【００２２】
搬送テーブル５２は、搬出部門（搬出元）から搬入部門（搬入先）へ送信された台車を搬入する為の搬入指示に関する搬送情報を記録するものである。
搬送情報には、検索キー部である台車コードと、データ部に属する搬送状況区分、搬出元の部署コード、搬入先の部署コード、搬送年月日、登録年月日等の情報を格納する。
搬送状況区分には、「搬送済み（搬入済み）」、「未搬送（未搬入）」が設定される。
【００２３】
搬送管理装置７０は、台車の搬出入と所在場所とを管理する為の管理データベース８０と、搬出端末装置１０と搬入端末装置４０とからの検索要求信号を受信して、管理データベース８０の検索結果を、インターネット網３を介して送信するＷｅｂサーバー７１と、管理データベース８０を管理するデータベースサーバー７２と、台車の搬出入と所在場所との管理の業務処理を行うアプリケーションサーバー７３とから構成される。
【００２４】
管理データベース８０は、台車識別テーブル８１、部署識別テーブル８２、及び搬送履歴テーブル８３から構成される。
【００２５】
台車識別テーブル８１は、台車に装着した記録媒体１に記録する台車識別情報を記録するものである。
台車識別情報には、検索キー部である台車コードと、検索キー部である台車の所有者側の部署コードと、データ部に属する台車名、登録年月日等の情報を格納する。
【００２６】
部署識別テーブル８２は、複数の企業の搬出部門と搬入部門とがそれぞれ備える搬出端末装置１０と搬入端末装置４０とについて、その部署の識別情報を記録するものである。
部署識別情報には、検索キー部である部署コードと、データ部に属する部署名、メールアドレス、登録年月日等の情報を格納する。
【００２７】
搬送履歴テーブル８３は、搬出部門（搬出元）が備える搬出端末装置１０、及び搬入部門（搬入先）が備える搬入端末装置４０とから送信された台車の搬出入実績に基づいた搬送履歴情報を記録するものである。
搬送履歴情報には、台車コードと搬送年月日とからなる検索キーと、データ部に属する搬送区分、部署コード、登録年月日等の情報を格納する。
搬送区分には、「搬出」、「搬入」が設定される。
部署コードには、搬送区分が「搬出」の場合に搬出元の部署コードが設定され、搬送区分が「搬入」の場合に搬入先の部署コードが設定される。
【００２８】
次に、搬出端末装置１０の処理手段３０と搬入端末装置４０の処理手段６０と搬送管理装置７０の処理手段９０とが情報の送受信を行う処理手順と、搬出端末装置１０と搬入端末装置４０とからの要求信号に応答して、管理データベース８０の検索を行う処理手順とについて説明する。図２は、本発明に係る搬出端末装置１０の処理手段３０と搬入端末装置４０の処理手段６０と搬送管理装置７０の処理手段９０に於ける処理の流れ図であり、処理手段は、以下の１０手段から構成される。
【００２９】
これらは、搬出端末装置１０の処理手段３０である搬出台車誤り検査手段３１、搬出台車情報送信手段３２、及び台車返却漏れ検査手段３３と、
搬入端末装置４０の処理手段６０である搬出台車情報受信手段６１、搬入台車誤り検査手段６２、搬入台車情報送信手段６３、及び台車搬入遅延検査手段６４と、
搬送管理装置７０の処理手段９０である搬出台車情報登録手段９１、搬入台車情報登録手段９２、及び未回収台車情報検索手段９３である。
又、搬出台車情報送信手段３２と搬入台車情報送信手段６３とは、搬送状況更新手段３２ａを含み、
未回収台車情報検索手段９３は、台車返却依頼情報送信手段９３ａを含む。
【００３０】
搬出台車誤り検査手段３１は、記録媒体１からの台車識別情報の受信の度毎に、その台車識別情報の台車コードより搬出データベース２０を検索して該当する搬送情報が登録済みであるか否かのチェックを行い、その搬送情報が未登録の場合に、受信した台車識別情報に搬出台車誤りに関するエラーメッセージを付加してその搬出端末装置１０に送信する。
【００３１】
以下に、搬出台車誤り検査手段３１の処理手順を詳細に説明する。
（１）搬出台車誤り検査手段３１は、搬出端末装置１０の電源投入時に自動起動され、記録媒体１からの台車識別情報を受け付ける迄、ウエイトする。
（２）ウエイト解除後、記録媒体１からの台車識別情報の台車コードより、搬送テーブル２３を検索し、該当する搬送情報が取得できなかった場合は、（２）の処理で受け付けた台車識別情報が編集されている搬出台車誤り検査エラー画面を搬出端末装置１０に送信する。
搬送情報が取得できた場合は、その搬送情報を搬出台車情報送信手段３２に受け渡す。
【００３２】
搬出台車情報送信手段３２は、搬出台車誤り検査手段３１で、搬送情報が登録済みの場合に、その搬送情報の搬入先の部署コードより搬出データベース２０を検索して該当する部署識別情報を取得し、その部署識別情報のアドレスの搬入端末装置４０と搬送管理装置７０とに搬送情報を自動送信する。
又、搬送状況更新手段３２ａは、記録媒体１からの台車識別情報を受信して、その台車識別情報の台車コードより搬出データベース２０を検索して該当する搬送情報が登録済みの場合に、その搬送情報の搬送状況区分に搬送済みを設定してその搬送情報を更新する。
【００３３】
以下に、搬出台車情報送信手段３２の処理手順を詳細に説明する。
（１）搬出台車情報送信手段３２は、搬出端末装置１０の電源投入時に自動起動され、搬出台車誤り検査手段３１からの搬送情報を受け付ける迄、ウエイトする。
（２）ウエイト解除後、受け付けた搬送情報の搬送状況区分に「搬送済み」を設定して搬送テーブル２３を更新する。
（３）（２）の処理で受け付けた搬送情報の搬入先の部署コードより、部署識別テーブル２２を検索して該当する部署識別情報を取得する。
（４）（３）の処理で取得した部署識別情報のメールアドレスの搬入端末装置４０と搬送管理装置７０とに（２）の処理で取得した搬送情報を送信する。
【００３４】
台車返却漏れ検査手段３３は、搬出端末装置１０からの台車返却漏れ検査要求信号に応答して、搬出データベース２０に登録された搬送情報の中で、搬送年月日にシステム日付が設定され、且つ、搬送状況区分に未搬送が設定された搬送情報に台車返却漏れに関するエラーメッセージを付加してその搬出端末装置１０に送信する。
【００３５】
以下に、台車返却漏れ検査手段３３の処理手順を詳細に説明する。
（１）搬出端末装置１０からの台車返却漏れ検査要求信号に応答して、搬送テーブル２３を先頭レコードより検索して搬送年月日にシステム日付が設定され、且つ、搬送状況区分に「未搬送」が設定された搬送情報を対象に取得する。
（２）（１）の処理で取得した搬送情報をその搬入先の部署コードの昇順に分類し、分類した搬送情報の一覧が編集されている台車返却漏れ検査エラー画面を要求のあった搬出端末装置１０に送信する。
【００３６】
搬出台車情報受信手段６１は、搬出端末装置１０からの搬送情報を受信して搬入データベース５０に自動登録する。
【００３７】
以下に、搬出台車情報受信手段６１の処理手順を詳細に説明する。
（１）搬出台車情報受信手段６１は、搬入端末装置４０の電源投入時に自動起動され、搬出端末装置１０からの搬送情報を受け付ける迄、ウエイトする。
（２）ウエイト解除後、搬出端末装置１０からの搬送情報を搬送テーブル５２に登録する。
【００３８】
搬入台車誤り検査手段６２は、記録媒体１からの台車識別情報の受信の度毎に、その台車識別情報の台車コードより搬入データベース５０を検索して該当する搬送情報が登録済みであるか否かのチェックを行い、その搬送情報が未登録の場合に、受信した台車識別情報に搬入台車誤りに関するエラーメッセージを付加してその搬入端末装置４０に送信する。
【００３９】
以下に、搬入台車誤り検査手段６２の処理手順を詳細に説明する。
（１）搬入台車誤り検査手段６２は、搬入端末装置４０の電源投入時に自動起動され、記録媒体１からの台車識別情報を受け付ける迄、ウエイトする。
（２）ウエイト解除後、記録媒体１からの台車識別情報の台車コードより、搬送テーブル５２を検索し、該当する搬送情報が取得できなかった場合は、（２）の処理で受け付けた台車識別情報が編集されている搬入台車誤り検査エラー画面を搬入端末装置４０に送信する。
搬送情報が取得できた場合は、その搬送情報を搬入台車情報送信手段６３に受け渡す。
【００４０】
搬入台車情報送信手段６３は、搬入台車誤り検査手段６２で、搬送情報が取得できた場合に、その搬送情報を搬送管理装置７０に自動送信する。
又、搬送状況更新手段３２ａは、記録媒体１からの台車識別情報を受信して、その台車識別情報の台車コードより搬出データベース２０を検索して該当する搬送情報が取得できた場合に、その搬送情報の搬送状況区分に搬送済みを設定してその搬送情報を更新する。
【００４１】
以下に、搬入台車情報送信手段６３の処理手順を詳細に説明する。
（１）搬入台車情報送信手段６３は、搬入端末装置４０の電源投入時に自動起動され、搬入台車誤り検査手段６２からの搬送情報を受け付ける迄、ウエイトする。
（２）ウエイト解除後、受け付けた搬送情報の搬送状況区分に「搬送済み」を設定して搬送テーブル５２を更新する。
（３）（２）の処理で受け付けた搬送情報を搬送管理装置７０に送信する。
【００４２】
台車搬入遅延検査手段６４は、搬入端末装置４０からの台車搬入遅延検査要求信号に応答して、搬入データベース５０に登録された搬送情報の中で、搬送年月日にシステム日付が設定され、且つ、搬送状況区分に未搬送が設定された搬送情報に台車搬入遅延に関するエラーメッセージを付加してその搬入端末装置４０に送信する。
【００４３】
以下に、台車搬入遅延検査手段６４の処理手順を詳細に説明する。
（１）搬出端末装置１０からの台車搬入遅延検査要求信号に応答して、搬送テーブル５２を先頭レコードより検索して搬送年月日にシステム日付が設定され、且つ、搬送状況区分に「未搬送」が設定された搬送情報を対象に取得する。
（２）（１）の処理で取得した搬送情報をその搬出元の部署コードの昇順に分類し、分類した搬送情報の一覧が編集されている台車搬入遅延検査エラー画面を要求のあった搬入端末装置４０に送信する。
【００４４】
搬出台車情報登録手段９１は、搬出端末装置１０からの搬送情報を受信して、その搬送情報から搬送区分に搬出を設定した搬送履歴情報を作成して管理データベース８０に自動登録する。
【００４５】
以下に、搬出台車情報登録手段９１の処理手順を詳細に説明する。
（１）搬出台車情報登録手段９１は、搬送管理装置７０の電源投入時に自動起動され、搬出端末装置１０からの搬送情報を受け付ける迄、ウエイトする。
（２）ウエイト解除後、搬出端末装置１０からの搬送情報の台車コードと搬送年月日と搬出元の部署コードと、「搬出」を設定した搬送区分とより、搬送履歴情報を作成して搬送履歴テーブル８３に登録する。
【００４６】
搬入台車情報登録手段９２は、搬入端末装置４０からの搬送情報を受信して、その搬送情報から搬送区分に搬入を設定した搬送履歴情報を作成して管理データベース８０に自動登録する。
【００４７】
以下に、搬入台車情報登録手段９２の処理手順を詳細に説明する。
（１）搬入台車情報登録手段９２は、搬送管理装置７０の電源投入時に自動起動され、搬入端末装置４０からの搬送情報を受け付ける迄、ウエイトする。
（２）ウエイト解除後、搬入端末装置４０からの搬送情報の台車コードと搬送年月日と搬入先の部署コードと、「搬入」を設定した搬送区分とより、搬送履歴情報を作成して搬送履歴テーブル８３に登録する。
【００４８】
未回収台車情報検索手段９３は、搬出端末装置１０からの未回収台車検索要求信号に応答して、搬出データベース２０を検索して自部署識別情報を取得し、その自部署識別情報の部署コードより管理データベース８０を検索して該当する台車識別情報を取得し、その台車識別情報の台車コードより管理データベース８０を検索して該当する搬送履歴情報を取得し、更に、その搬送履歴情報の中で最大値の搬送年月日が設定され、且つ、搬送区分に搬出が設定され、且つ、部署コードに自部署識別情報の部署コード以外の部署コードが設定されている搬送履歴情報のみを対象に取得し、その搬送履歴情報の一覧をその搬出端末装置１０に送信する。
又、台車返却依頼情報送信手段９３ａは、搬送履歴情報の一覧を搬出端末装置１０に送信し、その一覧の中から搬送履歴情報の選択を受け付けて、その搬送履歴情報の部署コードより管理データベース８０を検索して該当する部署識別情報を取得し、その部署識別情報のアドレスの搬出端末装置１０又は搬入端末装置４０に、その搬送履歴情報についての台車返却依頼情報を作成して送信する。
【００４９】
以下に、未回収台車情報検索手段９３の処理手順を詳細に説明する。
（１）搬出端末装置１０からの未回収台車検索要求信号に応答して、自部署識別テーブル２１を検索して自部署識別情報を取得する。
（２）（１）の処理で取得した自部署識別情報の部署コードより台車識別テーブル８１を検索して該当する台車識別情報を取得する。
（３）（２）の処理で取得した台車識別情報の台車コードより搬送履歴テーブル８３を検索して該当する搬送履歴情報を取得する。
（４）（３）の処理で取得した搬送履歴情報の中で最大値の搬送年月日が設定され、且つ、部署コードに自部署識別情報の部署コード以外の部署コードが設定されている搬送履歴情報のみを対象に取得する。
（５）（４）の処理で取得した搬送履歴情報の一覧が編集されている未回収台車情報検索・搬送履歴情報選択画面を要求のあった搬出端末装置１０に送信する。
（６）搬出端末装置１０からの搬送履歴情報の選択を受け付けて、その搬送履歴情報の部署コードより部署識別テーブル８２を検索して該当する部署識別情報を取得し、選択した搬送履歴情報の搬送区分に「搬出」が設定されている場合は、その部署識別情報のメールアドレスの搬出端末装置１０に、その搬送履歴情報についての台車返却依頼を送信し、選択した搬送履歴情報の搬送区分に「搬入」が設定されている場合は、その部署識別情報のメールアドレスの搬入端末装置４０に、その搬送履歴情報についての台車返却依頼を送信する。
【００５０】
以上、本発明の一実施の形態を詳細に説明したが、本発明は、本実施の形態に限られるものではない。本発明の技術的範囲から逸脱しない範囲内で多様に変更実施することが可能である。
【００５１】
【発明の効果】
以上説明したように、本発明の衣料品搬送用台車管理システムによれば、衣料品やカーテン等の搬送用に使用される台車の搬入出の際に、誤った台車の搬入出が発生した場合は、その台車を特定したエラーメッセージをその端末装置に通知して、人為的なミスが発生したことを警告することができる。
又、台車の所有者側は、台車の搬送後、回収されない台車の搬出元と搬入先とを把握して、その搬入先の端末装置に対して、返却依頼情報を送信してその返却を督促することができる。
【図面の簡単な説明】
【図１】本発明に係る衣料品搬送用台車管理システムのシステム構成を示す模式図である。
【図２】本発明に係る搬出端末装置の処理手段と搬入端末装置の処理手段と搬送管理装置の処理手段に於ける処理の流れ図である。
【符号の説明】
１  記録媒体
２  無線通信
３  インターネット網
１０  搬出端末装置
２０  搬出データベース
２１、５１  自部署識別テーブル
２２、８２  部署識別テーブル
２３、５２  搬送テーブル
３０  搬出端末装置の処理手段
３１  搬出台車誤り検査手段
３２  搬出台車情報送信手段
３２ａ  搬送状況更新手段
３３  台車返却漏れ検査手段
４０  搬入端末装置
５０  搬入データベース
６０  搬入端末装置の処理手段
６１  搬出台車情報受信手段
６２  搬入台車誤り検査手段
６３  搬入台車情報送信手段
６４  台車搬入遅延検査手段
７０  搬送管理装置
７１  Ｗｅｂサーバー
７２  データベースサーバー
７３  アプリケーションサーバー
８０  管理データベース
８１  台車識別テーブル
８３  搬送履歴テーブル
９０  搬送管理装置の処理手段
９１  搬出台車情報登録手段
９２  搬入台車情報登録手段
９３  未回収台車情報検索手段
９３ａ  台車返却依頼情報送信手段
【図１】
2004310611.tif 000003
【図２】
2004310611.tif 000004